(57)【特許請求の範囲】
【請求項１】
第１導電性部品と第２導電性部品との間に介在して、前記第１導電性部品と前記第２導電性部品を相互に導通させるための電気コンタクトであって、
第１コンタクトと第２コンタクトを備えており、
前記第１コンタクトは、各々が細長い形状を有する複数の第１コンタクト梁部と、前記複数の第１コンタクト梁部が相互に略平行となるように前記複数の第１コンタクト梁部を連結する第１コンタクト連結部と、を有し、
前記第１コンタクト梁部は、前記第１導電性部品に接触可能な第１コンタクト梁部第１接触部と、前記第２導電性部品に接触可能な第１コンタクト梁部第２接触部と、を有し、
前記第１コンタクト梁部第１接触部と前記第１コンタクト梁部第２接触部は、前記第１導電性部品と前記第２導電性部品が前記第１コンタクト梁部を挟んで対向した際に、前記第１導電性部品が前記第１コンタクト梁部第１接触部に接触し、前記第２導電性部品が前記第１コンタクト梁部第２接触部に接触することで、前記第１コンタクト梁部が前記第１コンタクト連結部に対して相対的な捻れ変形をするように配置されており、
前記第２コンタクトは、各々が細長い形状を有する複数の第２コンタクト梁部と、前記複数の第２コンタクト梁部が相互に略平行となるように前記複数の第２コンタクト梁部を連結する第２コンタクト連結部と、を有し、
前記第２コンタクト梁部は、前記第１導電性部品に接触可能な第２コンタクト梁部第１接触部と、前記第２導電性部品に接触可能な第２コンタクト梁部第２接触部と、を有し、
前記第２コンタクト梁部第１接触部と前記第２コンタクト梁部第２接触部は、前記第１導電性部品と前記第２導電性部品が前記第２コンタクト梁部を挟んで対向した際に、前記第１導電性部品が前記第２コンタクト梁部第１接触部に接触し、前記第２導電性部品が前記第２コンタクト梁部第２接触部に接触することで、前記第２コンタクト梁部が前記第２コンタクト連結部に対して相対的な捻れ変形をするように配置されており、
前記第１コンタクトの前記複数の第１コンタクト梁部と、前記第２コンタクトの前記複数の第２コンタクト梁部と、が交互に並ぶように前記第１コンタクトと前記第２コンタクトの２部品を重ね合わせて成り、
前記第１コンタクトには、係合部が形成されており、
前記第２コンタクトには、前記第１コンタクトと前記第２コンタクトを重ね合わせた状態で、前記第１コンタクトの前記係合部が係合する被係合部が形成されている、
電気コンタクト。
【請求項２】
請求項１に記載の電気コンタクトであって、
前記第１コンタクト梁部は前記第１コンタクト連結部に支持された片持ち梁状に形成されており、
前記係合部は、前記第１コンタクト梁部の自由端に形成されており、
前記被係合部は、前記第２コンタクト連結部に形成されている、
電気コンタクト。
【請求項３】
請求項１又は２に記載の電気コンタクトであって、
前記第１コンタクト梁部は、第１コンタクト梁部本体部を有し、
前記第１コンタクト梁部本体部は、前記第１コンタクト梁部第１接触部及び前記第１コンタクト梁部第２接触部が形成される傾斜部と、前記第１コンタクト連結部に対して捻られるように形成される捻り部を有する、
電気コンタクト。
【請求項４】
請求項１〜３の何れかに記載の電気コンタクトであって、
前記第１コンタクト梁部の捻れ変形の捻れ方向と、前記第１コンタクト梁部に対して隣り合う前記第２コンタクト梁部の捻れ変形の捻れ方向とは、逆になるように設定されている、
電気コンタクト。
【請求項５】
請求項１〜４の何れかに記載の電気コンタクトであって、
前記第１コンタクトと前記第２コンタクトを組み合わせた状態で、前記第１コンタクト梁部の前記第１コンタクト梁部第１接触部と、前記第１コンタクト梁部に対して隣り合う前記第２コンタクト梁部の前記第２コンタクト梁部第１接触部とは、前記第１コンタクト梁部又は前記第２コンタクト梁部の長手方向においてズレて位置している、
電気コンタクト。
【請求項６】
請求項１〜５の何れかに記載の電気コンタクトであって、
前記第１コンタクトと前記第２コンタクトを組み合わせた状態で、前記第１コンタクト梁部の前記第１コンタクト梁部第２接触部と、前記第１コンタクト梁部に対して隣り合う前記第２コンタクト梁部の前記第２コンタクト梁部第２接触部とは、前記第１コンタクト梁部又は前記第２コンタクト梁部の長手方向においてズレて位置している、
電気コンタクト。
【請求項７】
請求項１〜６の何れかに記載の電気コンタクトであって、
前記第１コンタクトと前記第２コンタクトは、同一形状である、
電気コンタクト。
【請求項８】
前記第１導電性部品と、
前記第２導電性部品と、
請求項１〜７の何れかに記載の電気コンタクトと、
を含む、
電気コネクタ。
【発明の詳細な説明】
【技術分野】
【０００１】
本発明は、電気コンタクト、及び、電気コネクタに関する。
【背景技術】
【０００２】
この種の技術として、特許文献１は、本願の図１１に示すように、開口された中空部５０を有するメス接触子５１の内周に接触するべく外側に突き出た外側接触部５２と、中空部５０に挿入されるオス接触子５３の外周に接触するべく内側に突き出た内側接触部５４と、両接触部５２，５４の接触により変形して接触圧を生じる応力変形部５５とを有する電気コンタクト５６を開示している。
【先行技術文献】
【特許文献】
【０００３】
【特許文献１】特開２００８−１３５２７５号公報
【発明の概要】
【発明が解決しようとする課題】
【０００４】
上記文献１の電気コンタクト５６は、応力変形部５５における捻れ変形を利用して接触圧を確保する所謂トーションタイプに分類されるものである。この種の電気コンタクトは狭ピッチ化の限界を既に迎えており、接点数増大による接触抵抗の低減効果は頭打ちとなっていた。
【０００５】
本願発明の目的は、トーションタイプの電気コンタクトにおいて、接点数増大についてのブレークスルー技術を提供することにある。
【課題を解決するための手段】
【０００６】
第１導電性部品と第２導電性部品との間に介在して、前記第１導電性部品と前記第２導電性部品を相互に導通させるための電気コンタクトであって、第１コンタクトと第２コンタクトを備えており、前記第１コンタクトは、各々が細長い形状を有する複数の第１コンタクト梁部と、前記複数の第１コンタクト梁部が相互に略平行となるように前記複数の第１コンタクト梁部を連結する第１コンタクト連結部と、を有し、前記第１コンタクト梁部は、前記第１導電性部品に接触可能な第１コンタクト梁部第１接触部と、前記第２導電性部品に接触可能な第１コンタクト梁部第２接触部と、を有し、前記第１コンタクト梁部第１接触部と前記第１コンタクト梁部第２接触部は、前記第１導電性部品と前記第２導電性部品が前記第１コンタクト梁部を挟んで対向した際に、前記第１導電性部品が前記第１コンタクト梁部第１接触部に接触し、前記第２導電性部品が前記第１コンタクト梁部第２接触部に接触することで、前記第１コンタクト梁部が前記第１コンタクト連結部に対して相対的な捻れ変形をするように配置されており、前記第２コンタクトは、各々が細長い形状を有する複数の第２コンタクト梁部と、前記複数の第２コンタクト梁部が相互に略平行となるように前記複数の第２コンタクト梁部を連結する第２コンタクト連結部と、を有し、前記第２コンタクト梁部は、前記第１導電性部品に接触可能な第２コンタクト梁部第１接触部と、前記第２導電性部品に接触可能な第２コンタクト梁部第２接触部と、を有し、前記第２コンタクト梁部第１接触部と前記第２コンタクト梁部第２接触部は、前記第１導電性部品と前記第２導電性部品が前記第２コンタクト梁部を挟んで対向した際に、前記第１導電性部品が前記第２コンタクト梁部第１接触部に接触し、前記第２導電性部品が前記第２コンタクト梁部第２接触部に接触することで、前記第２コンタクト梁部が前記第２コンタクト連結部に対して相対的な捻れ変形をするように配置されており、前記第１コンタクトの前記複数の第１コンタクト梁部と、前記第２コンタクトの前記複数の第２コンタクト梁部と、が交互に並ぶように前記第１コンタクトと前記第２コンタクトの２部品を重ね合わせて成り、前記第１コンタクトには、係合部が形成されており、前記第２コンタクトには、前記第１コンタクトと前記第２コンタクトを重ね合わせた状態で、前記第１コンタクトの前記係合部が係合する被係合部が形成されている、電気コンタクトが提供される。
前記第１コンタクト梁部は前記第１コンタクト連結部に支持された片持ち梁状に形成されており、前記係合部は、前記第１コンタクト梁部の自由端に形成されており、前記被係合部は、前記第２コンタクト連結部に形成されている。
前記第１コンタクト梁部は、第１コンタクト梁部本体部を有し、前記第１コンタクト梁部本体部は、前記第１コンタクト梁部第１接触部及び前記第１コンタクト梁部第２接触部が形成される傾斜部と、前記第１コンタクト連結部に対して捻られるように形成される捻り部を有する。
前記第１コンタクト梁部の捻れ変形の捻れ方向と、前記第１コンタクト梁部に対して隣り合う前記第２コンタクト梁部の捻れ変形の捻れ方向とは、逆になるように設定されている。
前記第１コンタクトと前記第２コンタクトを組み合わせた状態で、前記第１コンタクト梁部の前記第１コンタクト梁部第１接触部と、前記第１コンタクト梁部に対して隣り合う前記第２コンタクト梁部の前記第２コンタクト梁部第１接触部とは、前記第１コンタクト梁部又は前記第２コンタクト梁部の長手方向においてズレて位置している。
前記第１コンタクトと前記第２コンタクトを組み合わせた状態で、前記第１コンタクト梁部の前記第１コンタクト梁部第２接触部と、前記第１コンタクト梁部に対して隣り合う前記第２コンタクト梁部の前記第２コンタクト梁部第２接触部とは、前記第１コンタクト梁部又は前記第２コンタクト梁部の長手方向においてズレて位置している。
前記第１コンタクトと前記第２コンタクトは、同一形状である。
前記第１導電性部品と、前記第２導電性部品と、上記の電気コンタクトと、を含む、電気コネクタが提供される。
【発明の効果】
【０００７】
本願発明によれば、トーションタイプの電気コンタクトにおいて、更なる狭ピッチ化をすることなく、接点数を増大させることができる。
【図面の簡単な説明】
【０００８】
【図１】図１は、大電流用コネクタの分解斜視図である。
【図２】図２は、レセプタクルコネクタの斜視図である。
【図３】図３は、内周側から見たコンタクトユニットの展開図である。
【図４】図４は、外周側から見たコンタクトユニットの展開図である。
【図５】図５は、内周側から見たコンタクトエレメントの展開図である。
【図６】図６は、図５のA矢視図である。
【図７】図７は、図５のB矢視図である。
【図８】図８は、コンタクトエレメントの打ち抜き加工図である。
【図９】図９は、内周側から見たコンタクトユニットの展開図である。
【図１０】図１０は、外周側から見たコンタクトユニットの展開図である。
【図１１】図１１は、特許文献１の図１に相当する図である。
【発明を実施するための形態】
【０００９】
以下、図１〜１０を参照しつつ、本願発明の好適な実施形態を説明する。
【００１０】
（大電流用コネクタ１：図１、２）
図１に示す大電流用コネクタ１（電気コネクタ）は、例えばブスバーなどの導電部品に取り付けられるプラグコネクタ２（第１導電性部品）と、他の導電部品に取り付けられるレセプタクルコネクタ３（第２導電性部品）と、コンタクトユニット８（電気コンタクト）と、によって構成されている。
【００１１】
プラグコネクタ２は、導電部品に取り付けられる被固定部４と、被固定部４から突出して形成されるピン形状（円柱形状）のプラグ部５と、によって構成されている。
【００１２】
レセプタクルコネクタ３は、導電部品に取り付けられる被固定部６と、被固定部６から突出して形成される円筒形状のソケット部７と、によって構成されている。
【００１３】
コンタクトユニット８は、図２に示すようにソケット部７の内周面７ａに形成されている窪みに取り付けられて用いられる。
【００１４】
以上の構成で、プラグコネクタ２とレセプタクルコネクタ３を嵌合するには、図２に示すようにレセプタクルコネクタ３のソケット部７の内周面７ａにコンタクトユニット８を予め取り付けた状態で、図１のプラグコネクタ２のプラグ部５をレセプタクルコネクタ３のソケット部７に挿入する。すると、コンタクトユニット８は、プラグ部５の外周面５ａとソケット部７の内周面７ａとの間に介在しつつ、プラグコネクタ２とレセプタクルコネクタ３を相互に導通させるようになっている。
【００１５】
（コンタクトユニット８：図３、４）
図３及び図４は、コンタクトユニット８の部分展開図である。図１及び図２に示すように、本実施形態においてコンタクトユニット８は略C字状に丸められた状態で使用されるが、説明の便宜上、図３及び図４には、コンタクトユニット８の展開された状態を描いている。詳しくは、図３にはプラグ部５側から見たコンタクトユニット８の展開状態を示しており、図４にはソケット部７側から見たコンタクトユニット８の展開状態を示している。なお、図３及び図４において二点鎖線は、コンタクトユニット８を部分的に図示するための仮想切断線である。
【００１６】
図３及び図４に示すように、コンタクトユニット８は、一対のコンタクトエレメント１０（第１コンタクト、第２コンタクト）の２部品を重ね合わせるようにして構成されている。また、本実施形態においてコンタクトユニット８は、一対のコンタクトエレメント１０を完全同一形状としている。従って、先ずはコンタクトエレメント１０単体の形状を説明し、次いで、図３及び図４に示すような一対のコンタクトエレメント１０の結合状態を説明することとする。
【００１７】
（コンタクトエレメント１０：図５〜８）
図５に示すように、コンタクトエレメント１０は、各々が細長い形状を有する複数のコンタクト梁部１５（第１コンタクト梁部、第２コンタクト梁部）と、複数のコンタクト梁部１５が相互に略平行となるように複数のコンタクト梁部１５を連結するコンタクト連結部１６（第１コンタクト連結部、第２コンタクト連結部）と、によって構成されている。
【００１８】
ここで、説明の便宜上、図５〜７において、「周方向」及び「軸方向」、「内周側（第１導電性部品側）」、「外周側（第２導電性部品側）」を定義する。即ち、図５及び図６において「周方向」とあるのは、図２に示すようにコンタクトユニット８が丸められてソケット部７内に取り付けられた状態におけるソケット部７の周方向に相当している。図５及び図６に示すように、コンタクト連結部１６は周方向に延びて形成されている。また、図５及び図７において「軸方向」とあるのは、図２に示すようにコンタクトユニット８が丸められてソケット部７内に取り付けられた状態におけるソケット部７の軸方向に相当している。図５及び図７に示すように、コンタクト梁部１５は軸方向に延びて形成されている。図６及び図７において「内周側」とあるのは、プラグ部５側に相当している。同様に、図６及び図７において「外周側」とあるのは、ソケット部７側に相当している。
【００１９】
（コンタクト梁部１５）
図５に示すように、複数のコンタクト梁部１５は、相互に略平行となるように一定の間隔をあけて並べて配置されている。また、各コンタクト梁部１５は、コンタクト連結部１６に支持された片持ち梁状に形成されている。
【００２０】
各コンタクト梁部１５は、本体部２０（第１コンタクト梁部本体部、第２コンタクト梁部本体部）とプラグ接触部２１（第１コンタクト梁部第１接触部、第２コンタクト梁部第１接触部）、ソケット接触部２２（第１コンタクト梁部第２接触部、第２コンタクト梁部第２接触部）、係合部２３を有している。
【００２１】
（本体部２０）
本体部２０は、コンタクト梁部１５の基礎となる部分であって、軸方向に延びて形成されている。本体部２０は、コンタクト梁部１５の固定端１５ａから自由端１５ｂに向かって順に、捻り部２０ａと傾斜部２０ｂ、反捻り部２０ｃによって構成されている。
【００２２】
捻り部２０ａは、コンタクト梁部１５の固定端１５ａから自由端１５ｂを見たときに、コンタクトエレメント１０の無負荷状態で、コンタクト連結部１６を基準として反時計回りに捻られるように形成されている。
【００２３】
傾斜部２０ｂは、コンタクト梁部１５の固定端１５ａから自由端１５ｂを見たときに、コンタクトエレメント１０の無負荷状態で、コンタクト連結部１６を基準として反時計回りに傾斜するように形成されている（図６も併せて参照）。
【００２４】
反捻り部２０ｃは、コンタクト梁部１５の固定端１５ａから自由端１５ｂを見たときに、コンタクトエレメント１０の無負荷状態で、コンタクト連結部１６を基準として時計回りに捻られるように形成されている。
【００２５】
このように本体部２０が捻り部２０ａと傾斜部２０ｂ、反捻り部２０ｃによって構成されていることで、本体部２０は、両端を除く中途部（プラグ接触部２１及びソケット接触部２２を含む。）のみが傾斜したような形状となっている。
【００２６】
（プラグ接触部２１、ソケット接触部２２）
プラグ接触部２１は、本体部２０の傾斜部２０ｂに形成されている。プラグ接触部２１は、本体部２０の傾斜部２０ｂのうち捻り部２０ａの近傍に形成されている。
【００２７】
ソケット接触部２２は、本体部２０の傾斜部２０ｂに形成されている。ソケット接触部２２は、本体部２０の傾斜部２０ｂのうち反捻り部２０ｃの近傍に形成されている。
【００２８】
そして、プラグ接触部２１とソケット接触部２２は、コンタクト梁部１５の固定端１５ａから自由端１５ｂを見たときに（図６も併せて参照）、本体部２０（傾斜部２０ｂ）を挟んで反対側となるように配置されている。
【００２９】
プラグ接触部２１は、プラグコネクタ２をレセプタクルコネクタ３に嵌合した際に、図１に示すプラグコネクタ２のプラグ部５の外周面５ａに対して接触する部分である。プラグ接触部２１は、コンタクト梁部１５の固定端１５ａから自由端１５ｂを見たときに（図６も併せて参照）、内周側に膨らみ出るように湾曲して形成されている。
【００３０】
ソケット接触部２２は、コンタクトユニット８がレセプタクルコネクタ３のソケット部７の内周面７ａの窪みに取り付けられた際に、図１に示すレセプタクルコネクタ３のソケット部７の内周面７ａに対して接触する部分である。ソケット接触部２２は、コンタクト梁部１５の固定端１５ａから自由端１５ｂを見たときに（図６も併せて参照）、コンタクト連結部１６に対して略平行となるように、本体部２０（傾斜部２０ｂ）に対して傾斜して形成されている。
【００３１】
（係合部２３）
係合部２３は、コンタクト梁部１５の自由端１５ｂに形成されている。係合部２３は、図７に示すように、本体部２０に対して折り曲げられて形成されている。係合部２３は、外周側に向かって折り曲げられて形成されている。
【００３２】
そして、図５及び図６に示すように、複数のコンタクト梁部１５は、何れも同じ姿勢となるように、コンタクト連結部１６に支持されている。
【００３３】
（コンタクト連結部１６）
コンタクト連結部１６には、複数の被係合孔２４が形成されている。各被係合孔２４は、詳しくは、コンタクト連結部１６のうち、コンタクト梁部１５の固定端１５ａと、このコンタクト梁部１５に対して隣り合うコンタクト梁部１５の固定端１５ａと、から略等しい距離となる部分に形成されている。
【００３４】
以上に説明したコンタクトエレメント１０は、図８に示すように、例えばベリリウム銅板などの導電性板材をパンチ加工及び折り曲げ加工し、その後に銀メッキ処理を施すことで形成される。コンタクト梁部１５の周方向におけるピッチは例えば２．５ｍｍとされ、コンタクト梁部１５の軸方向における長さは例えば１０〜１３ｍｍとされる。
【００３５】
（一対のコンタクトエレメント１０の結合状態：図９、１０）
次に、一対のコンタクトエレメント１０の結合状態について説明する。
【００３６】
一対のコンタクトエレメント１０を結合するに際しては、図９及び図１０に示すように、先ず、一方のコンタクトエレメント１０を他方のコンタクトエレメント１０に対して１８０度、向きを変える。即ち、一方のコンタクトエレメント１０のコンタクト連結部１６と、他方のコンタクトエレメント１０のコンタクト連結部１６と、の間にすべてのコンタクト梁部１５が収まるように、一方のコンタクトエレメント１０を他方のコンタクトエレメント１０に対して向きを変える。
【００３７】
次に、一方のコンタクトエレメント１０の複数のコンタクト梁部１５と、他方のコンタクトエレメント１０の複数のコンタクト梁部１５と、が同じような間隔で交互に並ぶように、一対のコンタクトエレメント１０を位置決めする。このとき、図９に示すように、各コンタクト梁部１５のプラグ接触部２１が、このコンタクト梁部１５に対して隣り合うコンタクト梁部１５の本体部２０から見て内周側に位置するように留意する。また、図１０に示すように、各コンタクト梁部１５のソケット接触部２２が、このコンタクト梁部１５に対して隣り合うコンタクト梁部１５の本体部２０から見て外周側に位置するように留意する。そして、各コンタクトエレメント１０の各コンタクト梁部１５の係合部２３は、他方のコンタクトエレメント１０のコンタクト連結部１６の各被係合孔２４に係合させる。以上により、一対のコンタクトエレメント１０の結合は完了する。
【００３８】
このように一対のコンタクトエレメント１０を結合させると、図９及び図１０に示すように、一対のコンタクトエレメント１０を組み合わせた状態で、コンタクト梁部１５のプラグ接触部２１と、このコンタクト梁部１５に対して隣り合うコンタクト梁部１５のプラグ接触部２１とは、コンタクト梁部１５の長手方向（即ち、軸方向）においてズレて位置しており、もって、プラグ接触部２１同士の物理的な相互干渉が効果的に回避されている。同様に、一対のコンタクトエレメント１０を組み合わせた状態で、コンタクト梁部１５のソケット接触部２２と、このコンタクト梁部１５に対して隣り合うコンタクト梁部１５のソケット接触部２２とは、コンタクト梁部１５の長手方向（即ち、軸方向）においてズレて位置しており、もって、ソケット接触部２２同士の物理的な相互干渉が効果的に回避されている。
【００３９】
（作動）
次に、大電流用コネクタ１の作動を説明する。先ず、図３及び図４、図９、図１０に示すようにコンタクトユニット８を組み立てたら、コンタクトユニット８を強く湾曲させ、図２に示すレセプタクルコネクタ３のソケット部７内に挿入する。すると、コンタクトユニット８は、自己弾性復元力によってソケット部７の内周面７ａに張り付き、図示しない内フランジによってコンタクトユニット８のソケット部７からの抜脱は禁止される。
【００４０】
この状態で、レセプタクルコネクタ３のソケット部７にプラグコネクタ２のプラグ部５を挿入する。すると、プラグコネクタ２のプラグ部５は、コンタクトユニット８の複数のプラグ接触部２１に対して接触すると共に、複数のプラグ接触部２１を外周側へと押圧する。そして、この押圧により、第１に、プラグコネクタ２のプラグ部５の外周面５ａと、コンタクトユニット８の各プラグ接触部２１との十分な接圧が確保される。第２に、レセプタクルコネクタ３のソケット部７の内周面７ａと、コンタクトユニット８の各ソケット接触部２２との十分な接圧が確保される。第１及び第２の事象により、プラグコネクタ２はレセプタクルコネクタ３と導通する。そして、第３に、プラグコネクタ２のプラグ部５の外周面５ａの外径と、レセプタクルコネクタ３のソケット部７の内周面７ａの内径と、の間の嵌合隙間量に応じて、各コンタクト梁部１５のプラグ接触部２１がレセプタクルコネクタ３のソケット部７の内周面７ａに対して近づくように、各コンタクト梁部１５の本体部２０がコンタクト連結部１６に対して相対的に捻れ変形する。
【００４１】
ここで、プラグコネクタ２とレセプタクルコネクタ３との間の主たる導通経路は、単一のコンタクト梁部１５内で完結している。即ち、プラグコネクタ２のプラグ部５に供給された電荷は、コンタクト梁部１５のプラグ接触部２１と、コンタクト梁部１５の本体部２０と、コンタクト梁部１５のソケット接触部２２と、を介してレセプタクルコネクタ３のソケット部７に移動する。もし、プラグコネクタ２のプラグ部５による押圧によってコンタクト梁部１５の本体部２０が強く傾斜したことでコンタクト梁部１５のプラグ接触部２１がこのコンタクト梁部１５に対して隣り合う他のコンタクト梁部１５の本体部２０に対して接触していた場合は、プラグコネクタ２とレセプタクルコネクタ３との間の導通経路として、以下の経路が追加される。即ち、プラグコネクタ２のプラグ部５に供給された電荷は、コンタクト梁部１５のプラグ接触部２１と、このコンタクト梁部１５に対して隣り合う他のコンタクト梁部１５の本体部２０及びソケット接触部２２と、を介してレセプタクルコネクタ３のソケット部７に移動することにより、より短い導電経路が追加される。
【００４２】
以上に、本願発明の好適な実施形態を説明したが、上記実施形態は、要するに、以下の特長を有している。
【００４３】
即ち、コンタクトユニット８（電気コンタクト）は、プラグコネクタ２（第１導電性部品）とレセプタクルコネクタ３（第２導電性部品）との間に介在して、プラグコネクタ２とレセプタクルコネクタ３を相互に導通させるためのものである。コンタクトユニット８は、一対のコンタクトエレメント１０（第１コンタクト、第２コンタクト）を備えている。各コンタクトエレメント１０は、各々が細長い形状を有する複数のコンタクト梁部１５（第１コンタクト梁部、第２コンタクト梁部）と、複数のコンタクト梁部１５が相互に略平行となるように複数のコンタクト梁部１５を連結するコンタクト連結部１６（第１コンタクト連結部、第２コンタクト連結部）と、を有する。コンタクト梁部１５は、プラグコネクタ２に接触可能なプラグ接触部２１（第１コンタクト梁部第１接触部、第２コンタクト梁部第１接触部）と、レセプタクルコネクタ３に接触可能なソケット接触部２２（第１コンタクト梁部第２接触部、第２コンタクト梁部第２接触部）と、を有する。プラグ接触部２１とソケット接触部２２は、プラグコネクタ２とレセプタクルコネクタ３がコンタクト梁部１５を挟んで対向した際に、プラグコネクタ２がプラグ接触部２１に接触し、レセプタクルコネクタ３がソケット接触部２２により強く接触することで、コンタクト梁部１５がコンタクト連結部１６に対して相対的な捻れ変形をするように配置されている。具体的には、プラグ接触部２１とソケット接触部２２は、本体部２０を挟んで反対側に配置されている。そして、コンタクトユニット８は、一方のコンタクトエレメント１０の複数のコンタクト梁部１５と、他方のコンタクトエレメント１０の複数のコンタクト梁部１５と、が交互に並ぶように一対のコンタクトエレメント１０を組み合わせることで構成されている。以上の構成によれば、トーションタイプの電気コンタクト（コンタクトユニット８）において、更なる狭ピッチ化をすることなく、接点数を増大させることができる。具体的に本実施形態では、例えば図３や図４、図９、図１０に示すように、接点数を２倍にすることができた。これは即ち、実質的には接点の周方向におけるピッチが１／２となったことに相当する。そして、このように接点数が増大したことにより、プラグコネクタ２とレセプタクルコネクタ３との間の導電経路が増加し、プラグコネクタ２とレセプタクルコネクタ３との間における接続抵抗が飛躍的に改善された。従って、プラグコネクタ２とレセプタクルコネクタ３との間には従来の電流値を大幅に上回る大電流も過度に発熱することなく円滑に流せるようになった。つまり、導電効率が改善されたと言うことができる。
【００４４】
また、プラグコネクタ２をレセプタクルコネクタ３に嵌合させた際の、コンタクト梁部１５の捻れ変形の捻れ方向と、このコンタクト梁部１５に対して隣り合うコンタクト梁部１５の捻れ変形の捻れ方向とは、例えば、図９や図１０に示すように、逆になるように設定されている。
【００４５】
また、例えば図５に示すように、コンタクト梁部１５の自由端１５ｂには係合部２３が形成されている。コンタクト連結部１６には、例えば図５や図９、図１０に示すように、一対のコンタクトエレメント１０を組み合わせた状態で、コンタクト梁部１５の係合部２３が係合する被係合孔２４が形成されている。以上の構成によれば、コンタクト梁部１５の支持態様を実質的に両端支持にすることができる。
【００４６】
また、コンタクトユニット８を構成する一対のコンタクトエレメント１０は、同一形状である。以上の構成によれば、コンタクトユニット８を低コストで製造することができる。
【００４７】
以上に本願発明の好適な実施形態を説明したが、上記実施形態は例えば以下のように変更できる。
【００４８】
（１）上記実施形態では、コンタクトユニット８は、プラグコネクタ２とレセプタクルコネクタ３を相互に導通させるものとしたが、これに代えて、コンタクトユニット８は、ブスバーなどの導電性板材を相互に導通させるものとして使用してもよい。この場合は、コンタクトユニット８を例えば図１や図２に示すように湾曲させる必要はない。
【００４９】
（２）上記実施形態では、例えば図５に示すように、コンタクト梁部１５はコンタクト連結部１６によって片持ち梁状に支持されるものとしたが、これに代えて、以下の構成を採用することもできる。即ち、図５を参照して、コンタクトエレメント１０を、複数のコンタクト梁部１５と、複数のコンタクト梁部１５が相互に略平行となるように複数のコンタクト梁部１５を両端支持する一対のコンタクト連結部１６と、を備えるものとする。即ち、コンタクトエレメント１０のバリエーションとして、コンタクト梁部１５を単一のコンタクト連結部１６で片持ち梁状に支持させるか、コンタクト梁部１５を一対のコンタクト連結部１６で両端支持させるか、は任意に選択することができる。
【００５０】
（３）上記実施形態において一対のコンタクトエレメント１０は同一形状であるとしたが、これに代えて、一対のコンタクトエレメント１０を異なる形状としてもよい。
【符号の説明】
【００５１】
１  大電流用コネクタ（電気コネクタ）
２  プラグコネクタ（第１導電性部品又は第２導電性部品）
３  レセプタクルコネクタ（第２導電性部品又は第１導電性部品）
４  被固定部
５  プラグ部
５ａ  外周面
６  被固定部
７  ソケット部
７ａ  内周面
８  コンタクトユニット（電気コンタクト）
１０  コンタクトエレメント（第１コンタクト、第２コンタクト）
１５  コンタクト梁部（第１コンタクト梁部、第２コンタクト梁部）
１５ａ  固定端
１５ｂ  自由端
１６  コンタクト連結部（第１コンタクト連結部、第２コンタクト連結部）
２０  本体部（第１コンタクト梁部本体部、第２コンタクト梁部本体部）
２０ａ  捻り部
２０ｂ  傾斜部
２０ｃ  反捻り部
２１  プラグ接触部（第１コンタクト梁部第１接触部、第２コンタクト梁部第１接触部）
２２  ソケット接触部（第１コンタクト梁部第２接触部、第２コンタクト梁部第２接触部）
２３  係合部
２４  被係合孔
【図１】
0005732327.tif 000002
【図２】
0005732327.tif 000003
【図３】
0005732327.tif 000004
【図４】
0005732327.tif 000005
【図５】
0005732327.tif 000006
【図６】
0005732327.tif 000007
【図７】
0005732327.tif 000008
【図８】
0005732327.tif 000009
【図９】
0005732327.tif 000010
【図１０】
0005732327.tif 000011
【図１１】
0005732327.tif 000012